(57)【要約】【課題】超音波振動子板積層体にスリーブを被せるようにするとともに、該スリーブ内に導電体片（電極片）を接着又は埋め込み、この導電体片が超音波振動子板積層体を構成している電極板に接触するようにすることによって、導電体片（リード線）と電極板との接続を確実なものとし、これにより、作業時間を短縮した。【解決手段】多数の超音波振動子板１１1〜１１5と各超音波振動子板間に配設された電極板１２1〜１２6とを積層して超音波振動子板積層体を構成しているスリーブ３０は、この超音波振動子板積層体を内挿するもので、該スリーブの内壁面には軸方向に延長する２本の導電体片３１，３２を有し、一方の金属片が前記電極板を１つ置きに接触し、他方の導電体片が残りの電極板に１つ置きに接触する。【選択図】図１
2007130318.tif 000002
【特許請求の範囲】
【請求項１】
多数の超音波振動子板と各超音波振動子板間に配設された電極板とを積層してなる超音波振動子板積層体と、該超音波振動子板積層体が内挿されるスリーブとから成り、該スリーブの内壁面に軸方向に延長する２本の導電体片を有し、一方の金属片が前記電極板を１つ置きに接触し、他方の導電体片が残りの電極板に１つ置きに接触していることを特徴とする超音波振動体。
【請求項２】
前記スリーブは絶縁体であり、前記導電体片の一方は＋電極であり、他は−電極であることを特徴とする請求項１に記載の超音波振動体。
【請求項３】
前記電極板は１つ置きに前記スリーブの一方の導電体片と接触する凸部（又は凹部）を有し、残りの電極板は前記スリーブの他方の導電体片と接触する凸部（凹部）を有することを特徴とする請求項１又は２に記載の超音波振動体。
【請求項４】
前記スリーブの導電体片は前記電極板の凸部（又は凹部）と係合する凹部（又は凸部）に形成されていることを特徴とする請求項３に記載の超音波振動体。
【請求項５】
前記スリーブの２本の導電体片はその断面形状（又は大きさ）が異なり、それに応じて、該導電体片と接触する前記電極板側の凸部（又は凹部）の形状（又は大きさ）が異なり、前記超音波振動体と前記スリーブとが所定の関係で係合されることを特徴とする請求項３又は４に記載の超音波振動体。
【請求項６】
前記電極板に設けられた凸部がばね部材であることを特徴とする請求項３に記載の超音波振動体。
【請求項７】
前記スリーブは軸方向に２分割されており、その各々に前記導電体片が設けられていることを特徴とする請求項１乃至６のいずれかに記載の超音波振動体。
【請求項８】
前記導電体片は前記スリーブの端面でリード線に接続されており、コネクタに半田付け可能であることを特徴とする請求項１又は２に記載の超音波振動体。
【請求項９】
前記スリーブに挿脱可能なコネクタを有し、該コネクタの外周部には前記２本の導電体片に対向する２箇所に金属片部を有し、該コネクタが前記スリーブに挿入された時に、該スリーブ内の前記２本の金属片部と前記コネクタの２箇所の金属片部とが接続されるようになっていることを特徴とする請求項１乃至６のいずれかに記載の超音波振動体。
【請求項１０】
超音波振動体を内蔵するハンドピースと、該ハンドピースに着脱可能に連結されて前記超音波振動体によって超音波振動されるチップ部材とからなる超音波スケーラにおいて、前記超音波振動体は、前記請求項１乃至９のいずれかに記載の超音波振動体であることを特徴とする超音波スケーラ。
【発明の詳細な説明】
【技術分野】
【０００１】
本発明は、歯科治療において使用する超音波スケーラに用いて好適な超音波振動体及び該超音波振動体を用いた超音波スケーラに関する。
【背景技術】
【０００２】
図６は、超音波振動子を用いたハンドピースの例としての周知の超音波スケーラ（Ｓｃａｌｅｒ）の一例を説明するための要部断面構成図で、図中、１は超音波振動子、２は該超音波振動子１を外部電源へ接続するためのコネクタ、３は超音波振動子１の振動を伝達するための超音波伝導体、１０はこれら超音波振動子１、コネクタ２、超音波伝導体３等を内蔵するハンドピースである。また、２０は前記超音波伝導体３の先端部にねじ結合等によって着脱自在に連結されるスケーラチップで、図示のように、該超音波伝導体３にスケーラチップ２０が螺合され、該スケーラチップ２０が前記超音波伝導体３を通してくる超音波振動によって振動されて歯石の除去が行われる。
【０００３】
図７は、前記超音波振動子１の内部構成を説明するための要部斜視図で、図中、１１1〜１１5は超音波振動子板（枚数は任意）、１２1〜１２6は電極板（枚数は超音波振動子板の数＋１）で、超音波振動子板１１1〜１１5と電極板１２1〜１２6は交互に積層され、これら複数の超音波振動子板と電極板とによって超音波振動子板積層体を構成している。１３1，１３2はリード線で、電極板１２1〜１２6は１つ置きに一方のリード線（例えば、１３1の＋電極）に接続され、他方のリード線（例えば、１３2の−電極）は、残りの電極板に１つ置きに接続され、これにより、超音波振動子板１１1〜１１5を超音波振動させ、その超音波振動を超音波伝導体３を通して、該超音波伝導体３の先端部に連結されているスケーラチップ２０に伝達する。上述のごとき従来の超音波振動子においては、リード線１３1，１３2と電極板１２1〜１２6は半田付けされており、その作業が大変であった。なお、リード線１３1，１３2の他方の端部は、図示しないコネクタ等に半田付けされている。
【発明の開示】
【発明が解決しようとする課題】
【０００４】
本発明は、このような問題を解決するためになされたもので、特に、超音波振動子板積層体にスリーブを被せるようにするとともに、このスリーブ内に前記リード線に代る導電体片（電極片）を接着又は埋め込み、この導電体片が電極板に接触するようにすることによって、導電体片（リード線）と電極板との接触を確実なものとし、これにより、リード線と電極板との半田付け作業をなくし、作業時間を短縮し、かつ、作業の確実性を図ったものである。
【課題を解決するための手段】
【０００５】
請求項１の発明は、多数の超音波振動子板と各超音波振動子板間に配設された電極板とを積層してなる超音波振動子板積層体と、該超音波振動子積層体板が内挿されるスリーブとから成り、該スリーブの内壁面に軸方向に延長する２本の導電体片を有し、一方の金属片が前記電極板を１つ置きに接触し、他方の導電体片が残りの電極板に１つ置きに接触していることを特徴としたものである。
【０００６】
請求項２の発明は、請求項１の発明において、前記スリーブは絶縁体であり、前記導電体片の一方は＋電極であり、他は−電極であることを特徴としたものである。
【０００７】
請求項３の発明は、請求項１又は２の発明において、前記電極板は１つ置きに前記スリーブの一方の導電体片と接触する凸部（又は凹部）を有し、残りの電極板は前記スリーブの他方の導電体片と接触する凸部（凹部）を有することを特徴としたものである。
【０００８】
請求項４の発明は、請求項３の発明において、前記スリーブの導電体片は前記電極板の凸部（又は凹部）と係合する凹部（又は凸部）に形成されていることを特徴としたものである。
【０００９】
請求項５の発明は、請求項３又は４の発明において、前記スリーブの２本の導電体片はその断面形状（又は大きさ）が異なり、それに応じて、該導電体片と接触する前記電極板側の凸部（又は凹部）の形状（又は大きさ）が異なり、前記超音波振動層体と前記スリーブとが所定の関係で係合されることを特徴としたものである。
【００１０】
請求項６の発明は、請求項３の発明において、前記電極板に設けられた凸部がばね部材であることを特徴としたものである。
【００１１】
請求項７の発明は、請求項１乃至６のいずれかの発明において、前記スリーブは軸方向に２分割されており、その各々に前記導電体片が設けられていることを特徴としたものである。
【００１２】
請求項８の発明は、請求項１又は２の発明において、前記導電体片は前記スリーブの端面でリード線に接続されており、コネクタに半田付け可能であることを特徴としたものである。
【００１３】
請求項９の発明は、請求項１乃至６のいずれかの発明において、前記スリーブに挿脱可能なコネクタを有し、該コネクタの外周部には前記２本の導電体片に対向する２箇所に金属片部を有し、該コネクタが前記スリーブに挿入された時に、該スリーブ内の前記２本の金属片部と前記コネクタの２箇所の金属片部とが接続されるようになっていることを特徴としたものである。
【００１４】
請求項１０の発明は、超音波振動体を内蔵するハンドピースと、該ハンドピースに着脱可能に連結されて前記超音波振動体によって超音波振動されるチップ部材とからなる超音波スケーラにおいて、前記超音波振動体は、前記請求項１乃至９のいずれかの発明であることを特徴とする超音波スケーラ。
【発明の効果】
【００１５】
超音波振動子板積層体にスリーブを被せるようにするとともに、該スリーブ内に接着又は埋め込まれた導電体片が超音波振動子板積層体を構成している電極板に接触するようにするようにしたので、導電体片（リード線）と電極板との接触が確実なものとなり、これにより、リード線（導電体片）と電極板との半田付け作業がなくなり、作業時間が短縮される。
【発明を実施するための最良の形態】
【００１６】
図１は、本発明による超音波振動体の一実施例を説明するための要部側断面図で、図中、１１1〜１１5は超音波振動子板、１２1〜１２6は電極板で、これらによって、超音波振動子板積層体１を構成していることは、図７に示した従来技術と同じである。３０は、本発明によって付加されたスリーブで、本発明は、リード線はこのスリーブ３０の内壁に取り付けられ、好ましくは、接着又は埋め込まれた２本の導電体片３１，３２で構成され、これらによって、電極板１２1〜１２6に電圧を印加するようにしている。
【００１７】
図２は、スリーブ３０の構成を説明するための図で、図２（Ａ）は斜視図、図２（Ｂ）は図２（Ａ）のＢ−Ｂ線断面図、図２（Ｃ）は図２（Ａ）のＣ−Ｃ断面図で、該スリーブ３０の内壁面には軸方向に２本の導電体片（リード線）３１，３２が接着、埋め込み等によって固定されている。この２本の導電体片３１，３２は電極板１２1〜１２6への給電線となるもので、例えば、３１が＋電極側、３２が−電極となっている。
【００１８】
図３は、スリーブ３０の変形構造を説明するための図で、スリーブ３０の形状は円筒状に限られるものではなく、超音波振動子板の形状等に応じて、例えば、図３（Ａ）に示すように、四角筒でもよく、また、図３（Ｂ）に示すように、軸方向に２分割して３０1，３０2とし、それぞれの半円筒の内壁部に軸方向に導電体片３１，３２を設けるようにしてもよい。図３（Ｂ）に示すように、筒体３０を２分割し、その各々に導電体片を取り付けるようにすると、導電体片を取り付ける作業がしやすくなる。
【００１９】
図４は、本発明によるスリーブ３０とコネクタ２との関係を説明するための図で、図４（Ａ）は、スリーブ３０の端面から導電体片３１，３２に接続されたリード線３１1，３２1をそれぞれ引き出しておくようにしたもので、このようにしてリード線を引き出しておけば、コネクタに半田付けが可能である。図４（Ｂ）は、コネクタ２の端部外周部に、スリーブ３０の内周部に設けられた導電体片３１，３２に対応させて、導電体片２1（図示せず）２2を設けたもので、このようにしておくと、コネクタ２をスリーブ３０内に押し込むだけで、超音波振動体部とコネクタ部とを接続（導通）することができる。
【００２０】
図５は、超音波振動子板１１1〜１１5に電圧を印加する電極板１２1〜１２6の構成を説明するための図で、これら電極板１２1〜１２6には、スリーブ３０が挿通された時に、該スリーブ３０内に設けられた導電体片と接触する突起１２1’，１２2’，…１２6’が設けられているが、これらの突起は、交互に反対向きに設けられており、スリーブ３０が挿通された時に、１つ置きの突起がスリーブ３０内の一方の導電体片３１又は３２に接続されるようになっている。図１の例で説明すれば、電極板１２1、１２3，１２5の突起が導電体片３１に接触し、電極板１２2，１２4，１２6の突起が導電体片３２に接触するようになっている。
【００２１】
電極板１２1〜１２6の突起１２1’〜１２6’は全て同じでもよいが、これら突起に凹部（又は凸部）を設けておき、この凹部（又は凸部）に対応して、スリーブ内の導電体片を凸（又は凹）形状にし、スリーブ３０を挿通した時に、これら電極板側の凹部（又は凸部）とスリーブ側導電体片の凸部（又は凹部）が係合するようにしておき、これらの形状又は形状の大きさを＋電極側と−電極側で異なるようにしておけば、スリーブ３０を挿通する時に、＋−の電極を間違えて挿入するような恐れはない。なお、図５（Ｂ）に示した例は、突起１２1’〜１２6’に弾性を持たせ、導電体片３１，３２との電気的接触をより確実にしたものである。
【図面の簡単な説明】
【００２２】
【図１】本発明による超音波振動体の一実施例を説明するための要部側断面図である。
【図２】スリーブの構成例を説明するための図である。
【図３】スリーブの他の構成例を説明するための図である。
【図４】スリーブとコネクタとの関係を説明するための図である。
【図５】超音波振動子板に電圧を印加する電極板の構成を説明するための図である。
【図６】超音波振動子を用いたハンドピースの一例を説明するための要部断面構成図である。
【図７】超音波振動子の内部構成を説明するための要部斜視図である。
【符号の説明】
【００２３】
１…超音波振動子板積層体（超音波振動子）、２…コネクタ、３…超音波伝導体、１０…ハンドピース、１１（１１1〜１１5）…超音波振動子板、１２1〜１２6…電極板、１３1，１３2，３１1，３２1…リード線、２０…チップ、３０…スリーブ、３１，３２…導電体片。
【図１】
2007130318.tif 000003
【図２】
2007130318.tif 000004
【図３】
2007130318.tif 000005
【図４】
2007130318.tif 000006
【図５】
2007130318.tif 000007
【図６】
2007130318.tif 000008
【図７】
2007130318.tif 000009